(57)【要約】      （修正有）【課題】使用コストを低減し、資源の浪費を低減できる電源起動装置を提供する。【解決手段】本体前端には後方に通路が接続された挿入溝が設けられ、本体内には紙幣識別モジュール２１および証明証識別モジュール２２を有する回路モジュール２が設けられる。紙幣識別モジュール２１および証明証識別モジュール２２には販売機３とデータの相互伝送を行なう通信インターフェイスモジュール２４が接続され、通信インターフェイスモジュール２４には、電源を受電し、証明証および紙幣の識別結果に基づいて電源供給のオンオフを行なう節電機能を有する電源モジュール２５が接続される。販売機３は、起動後、所定の時間内に使用されない場合、休眠状態となり、挿入された証明証または紙幣が本物であると識別されたとき、信号が節電機能を有する電源モジュール２５に伝送されて販売機３を起動する。【選択図】図３
0003146904.tif 000002
【実用新案登録請求の範囲】
【請求項１】
証明証または紙幣を識別後、販売機の電源を起動する紙幣処理装置の電源起動装置であって、前記電源起動装置は、本体および回路モジュールから構成され、
前記本体前端には、証明証および紙幣が挿入される挿入溝が設けられ、前記挿入溝後方には、通路が接続され、前記通路側壁には、証明証および紙幣を移動させる伝動装置が設けられ、前記通路後方には、紙幣を収納する紙幣スタッカが設けられ、
前記本体内に設置される回路モジュールには、紙幣識別モジュールおよび証明証識別モジュールが設けられ、前記紙幣識別モジュールは、第１の識別モジュールに紙幣識別光源モジュールおよびその光源を受光できる光源受光モジュールが接続されたものであり、前記証明証識別モジュールは、第２の識別モジュールに撮影光源モジュールおよび画像をキャプチャリングできるカメラモジュールが接続されたものであり、前記紙幣識別モジュールおよび証明証識別モジュールには前記販売機とデータの相互伝送を行なう通信インターフェイスモジュールが接続され、前記通信インターフェイスモジュールには電源を受電し、証明証および紙幣の識別結果に基づいて電源供給のオンオフを行なう節電機能を有する電源モジュールが接続されることを特徴とする証明証を識別できる紙幣処理装置の電源起動装置。
【請求項２】
前記本体の挿入溝後方の通路には、証明証および紙幣の挿入を感知するセンサスイッチが一つ以上設けられることを特徴とする請求項１記載の証明証を識別できる紙幣処理装置の電源起動装置。
【請求項３】
前記通路のセンサスイッチ後方には、証明証および紙幣の挿入が感知された後、開けられる遮光シャッタが設けられることを特徴とする請求項２記載の証明証を識別できる紙幣処理装置の電源起動装置。
【請求項４】
前記本体の伝動装置は、モータによって駆動され、証明証および紙幣を移動させることができる紙幣移動装置および紙幣を紙幣スタッカ内に押圧する紙幣押圧装置から構成され、前記回路モジュールの紙幣識別モジュールには伝動モジュールが接続され、前記伝動モジュール内には前記伝動装置の紙幣移動装置と接続された紙幣伝動制御モジュールおよび前記伝動装置の紙幣押圧装置と接続された紙幣押圧制御モジュールが設けられることを特徴とする請求項１記載の証明証を識別できる紙幣処理装置の電源起動装置。
【請求項５】
前記紙幣スタッカには、前記紙幣押圧装置に押圧されて位置が移動する押圧板が設けられ、前記押圧板内側には複数の弾性部材が設けられることを特徴とする請求項４記載の証明証を識別できる紙幣処理装置の電源起動装置。
【請求項６】
前記節電機能を有する電源モジュール内には、電源を受電する第１の電圧変換ユニットおよび第２の電圧変換ユニットが設けられ、前記第２の電圧変換ユニットには電源を受電する制御スイッチが接続され、前記制御スイッチには前記第１の電圧変換ユニットが出力する電源の測定およびオンオフを行なう電圧測定保護ユニットが接続されることを特徴とする請求項１記載の証明証を識別できる紙幣処理装置の電源起動装置。
【請求項７】
前記第１の電圧変換ユニットには、一つ以上の電源を変換して本体および販売機に提供して運転を行なう高低圧変換ユニットが接続されることを特徴とする請求項６記載の証明証を識別できる紙幣処理装置の電源起動装置。
【請求項８】
前記回路モジュールの通信インターフェイスモジュールは、データを紙幣識別モジュール内の第１の識別モジュールと接続されたソフトウェア更新モジュールに伝送することを特徴とする請求項１記載の証明証を識別できる紙幣処理装置の電源起動装置。
【請求項９】
前記回路モジュール内には、紙幣識別モジュール内の第１の識別モジュールと接続された使用者インターフェイスモジュールが設けられ、前記使用者インターフェイスモジュール内には作業状態を販売機に伝送して表示する指示モジュールおよび販売機に設けられたボタンの押圧信号を受信するボタンスイッチモジュールが設けられることを特徴とする請求項１記載の証明証を識別できる紙幣処理装置の電源起動装置。
【考案の詳細な説明】
【技術分野】
【０００１】
本考案は、証明証を識別できる紙幣処理装置の電源起動装置に関し、特に、本体の回路モジュール内に節電機能を有する電源モジュールが設けられ、証明証または紙幣が識別された後、販売機の電源が起動されることによって使用コストを低減し、資源の浪費を低減できる証明証を識別できる紙幣処理装置の電源起動装置に関する。
【背景技術】
【０００２】
現代社会においては科学技術が発達し、人と人との距離が縮小されているが、人々の生活リズムも早くなり、更なる利便性およびスピードが追求され、その結果、多くの公共の場所に自動販売機が設置されるようになり、自動販売機は人件費を大幅に節約できるだけでなく、その利便性から現代人に広く受け入れられている。
【０００３】
無人コンビニは、知能性、サービススピードおよび決済スピードに優れ、従来型の販売様式とは異なり、よく見られる飲料販売機、たばこ販売機および切符販売機からアイスクリーム販売機、入場券販売機、記念硬貨販売機およびキーホルダ販売機まで存在し、更にはハンバーガー、フライドポテトの販売機およびラーメン販売機まで存在し、販売される商品の種類は益々多くなっている。また、無人経営およびセルフ決済が強調されたバーチャルショップが多く作られ、人々に非常に便利な購買環境を提供しており、企業にとっても、人件費などのコストを低減でき、営業利益を高めることができる。
【０００４】
しかし、ヨーロッパなどの多くの国では、たばこ、酒などの特定の商品を販売する自動販売機に年齢制限を設けており、消費者の身分を識別するために、自動販売機に証明証識別装置が設置され、消費者は個人の証明証（例えば、免許証、身分証、健康保険証またはパスポートなど）を自動販売機に挿入し、消費者の年齢および身分が確認され、所定の条件に符合する場合、特定商品の自動販売機での購入が可能となる。
【０００５】
従来技術における自動販売機および、証明証および紙幣識別装置は、長時間起動状態が保持され、これによって企業がそのエネルギに負担しなければならないコストが増加するだけでなく、全世界においてエネルギ不足である現在、世界中にある自動販売機が長時間起動状態にあることによって、莫大な電力が消費されている。また、長時間の起動によって機器内部が過熱状態となり、内部の電子素子が破損して機器の使用寿命が短縮されてしまう。
【０００６】
従来の自動販売機および、証明証および紙幣識別装置は、多くの問題と欠点を有するので、本考案の考案者および業界の従事者は従来の自動販売機および、証明証および紙幣識別装置について改善の必要がある。
【０００７】
本考案の考案者は上述の従来技術の欠点に鑑み、関連資料を収集し、本業界における長年の経験、幾度もの試作および修正の結果、使用コストを低減し、資源の浪費を低減が可能な、証明証を識別できる紙幣処理装置の電源起動装置を案出した。
【特許文献１】特開２００７−１１５０５４号公報
【考案の開示】
【考案が解決しようとする課題】
【０００８】
本考案の目的は、本体の挿入溝後方の通路に一つ以上のセンサスイッチが設けられ、本体内の回路モジュールには、通路側辺に、紙幣識別モジュール、証明証識別モジュールおよび節電機能を有する電源モジュールが設けられ、販売機および紙幣処理装置が起動した後、所定時間内に使用されない場合、休眠状態となり、本体通路前側のセンサスイッチのみが運転され、使用者が証明証または紙幣を挿入したとき、センサスイッチが紙幣処理装置をトリガして起動し、証明証または紙幣が内部に移動されて識別が行われ、回路モジュールの紙幣識別モジュールおよび証明証識別モジュールが挿入された証明証または紙幣が本物であると識別したとき、信号を節電機能を有する電源モジュールに伝送して販売機を起動し、紙幣処理装置が長時間使用されない場合、休眠状態となって電気の浪費を防止し、使用者が偽札、偽証明証またはその他のカードを挿入したときも、販売機は休眠状態を保持するので、紙幣処理装置および販売機の二段階式の休眠および起動によって効果的に節電を達成し、使用コストを低減し、資源の浪費を低減できる証明証を識別できる紙幣処理装置の電源起動装置を提供することにある。
【課題を解決するための手段】
【０００９】
上記課題を解決するために、請求項１の考案は、証明証または紙幣を識別後、販売機の電源を起動する紙幣処理装置の電源起動装置であって、電源起動装置は、本体および回路モジュールから構成され、本体前端には証明証および紙幣が挿入される挿入溝が設けられ、挿入溝後方には通路が接続され、通路側壁には証明証および紙幣を移動させる伝動装置が設けられ、通路後方には紙幣を収納する紙幣スタッカが設けられ、本体内に設置される回路モジュールには、紙幣識別モジュールおよび証明証識別モジュールが設けられ、紙幣識別モジュールは、第１の識別モジュールに紙幣識別光源モジュールおよびその光源を受光できる光源受光モジュールが接続されたものであり、証明証識別モジュールは、第２の識別モジュールに撮影光源モジュールおよび画像をキャプチャリングできるカメラモジュールが接続されたものであり、紙幣識別モジュールおよび証明証識別モジュールには販売機とデータの相互伝送を行なう通信インターフェイスモジュールが接続され、通信インターフェイスモジュールには電源を受電し、証明証および紙幣の識別結果に基づいて電源供給のオンオフを行なう節電機能を有する電源モジュールが接続されることを特徴とする証明証を識別できる紙幣処理装置の電源起動装置である。
【００１０】
請求項２の考案は、本体の挿入溝後方の通路には、証明証および紙幣の挿入を感知するセンサスイッチが一つ以上設けられることを特徴とする請求項１記載の証明証を識別できる紙幣処理装置の電源起動装置である。
【００１１】
請求項３の考案は、通路のセンサスイッチ後方には、証明証および紙幣の挿入が感知された後、開けられる遮光シャッタが設けられることを特徴とする請求項２記載の証明証を識別できる紙幣処理装置の電源起動装置である。
【００１２】
請求項４の考案は、本体の伝動装置は、モータによって駆動され、証明証および紙幣を移動させることができる紙幣移動装置および紙幣を紙幣スタッカ内に押圧する紙幣押圧装置から構成され、回路モジュールの紙幣識別モジュールには伝動モジュールが接続され、伝動モジュール内には伝動装置の紙幣移動装置と接続された紙幣伝動制御モジュールおよび伝動装置の紙幣押圧装置と接続された紙幣押圧制御モジュールが設けられることを特徴とする請求項１記載の証明証を識別できる紙幣処理装置の電源起動装置である。
【００１３】
請求項５の考案は、紙幣スタッカには、紙幣押圧装置に押圧されて位置が移動する押圧板が設けられ、押圧板内側には複数の弾性部材が設けられることを特徴とする請求項４記載の証明証を識別できる紙幣処理装置の電源起動装置である。
【００１４】
請求項６の考案は、節電機能を有する電源モジュール内には、電源を受電する第１の電圧変換ユニットおよび第２の電圧変換ユニットが設けられ、第２の電圧変換ユニットには電源を受電する制御スイッチが接続され、制御スイッチには第１の電圧変換ユニットが出力する電源の測定およびオンオフを行なう電圧測定保護ユニットが接続されることを特徴とする請求項１記載の証明証を識別できる紙幣処理装置の電源起動装置である。
【００１５】
請求項７の考案は、第１の電圧変換ユニットには、一つ以上の電源を変換して本体および販売機に提供して運転を行なう高低圧変換ユニットが接続されることを特徴とする請求項６記載の証明証を識別できる紙幣処理装置の電源起動装置である。
【００１６】
請求項８の考案は、回路モジュールの通信インターフェイスモジュールは、データを紙幣識別モジュール内の第１の識別モジュールと接続されたソフトウェア更新モジュールに伝送することを特徴とする請求項１記載の証明証を識別できる紙幣処理装置の電源起動装置である。
【００１７】
請求項９の考案は、回路モジュール内には紙幣識別モジュール内の第１の識別モジュールと接続された使用者インターフェイスモジュールが設けられ、使用者インターフェイスモジュール内には作業状態を販売機に伝送して表示する指示モジュールおよび販売機に設けられたボタンの押圧信号を受信するボタンスイッチモジュールが設けられることを特徴とする請求項１記載の証明証を識別できる紙幣処理装置の電源起動装置である。
【考案の効果】
【００１８】
本考案の証明証を識別できる紙幣処理装置の電源起動装置は、本体の挿入溝後方の通路に一つ以上のセンサスイッチが設けられ、本体内の回路モジュールには、通路側辺に紙幣識別モジュール、証明証識別モジュールおよび節電機能を有する電源モジュールが設けられ、販売機および紙幣処理装置が起動した後、所定時間内に使用されない場合、休眠状態となり、本体通路前側のセンサスイッチのみが運転され、使用者が証明証または紙幣を挿入したとき、センサスイッチがトリガされて紙幣処理装置が起動し、証明証または紙幣が内部に移動されて識別が行われ、回路モジュールの紙幣識別モジュールおよび証明証識別モジュールが挿入された証明証または紙幣が本物であると識別したとき、信号を節電機能を有する電源モジュールに伝送して販売機を起動し、紙幣処理装置が長時間使用されない場合、休眠状態となって電気の浪費を防止し、使用者が偽札、偽証明証またはその他のカードを挿入したときも、販売機は休眠状態を保持するので、紙幣処理装置および販売機の二段階式の待機および起動によって効果的に節電を達成し、使用コストを低減し、資源の浪費を低減できる。
【考案を実施するための最良の形態】
【００１９】
本考案の目的、特徴および効果を示す実施例を図に沿って詳細に説明する。
図１は、本考案の好適な実施例を示す斜視図である。図２は、本考案の好適な実施例を示す側面断面図である。図３は、本考案の好適な実施例を示すブロック図である。図４は、本考案の節電機能を有する電源モジュールを示すブロック図である。図から分かるように、本考案の証明証を識別できる紙幣処理装置の電源起動装置は、本体１および本体１内に設置される回路モジュール２から構成される。
【００２０】
本体１前端には証明証および紙幣が挿入される挿入溝１１が設けられる。挿入溝１１後方には通路１２が接続される。挿入溝１１後方の通路１２には一つ以上の証明証および紙幣の挿入を感知できるセンサスイッチ１３が設けられる。通路１２のセンサスイッチ１３後方には証明証および紙幣の挿入が感知された後、開けられる遮光シャッタ１４が設けられる。通路１２の側壁には証明証および紙幣を移動させる伝動装置１５が設けられ、伝動装置１５は、モータ１５１によって駆動され、証明証および紙幣を移動させることができる紙幣移動装置１５２および紙幣を紙幣スタッカ１６内に押圧する紙幣押圧装置１５３から構成される。通路１２後方には紙幣押圧装置１５３によって紙幣が押圧される紙幣スタッカ１６が設けられ、紙幣スタッカ１６には紙幣押圧装置１５３によって押圧されて位置が移動する押圧板１６１が設けられ、押圧板１６１内側には複数の弾性部材１６２が設けられる。
【００２１】
回路モジュール２には、本体１の遮光シャッタ１４後方の通路１２側辺に紙幣識別モジュール２１および証明証識別モジュール２２が設けられる。紙幣識別モジュール２１は、第１の識別モジュール２１１に紙幣識別光源モジュール２１２およびその光源を受光できる光源受光モジュール２１３が接続されたものである。証明証識別モジュール２２は、第２の識別モジュール２２１に撮影光源モジュール２２２および画像をキャプチャリングできるカメラモジュール２２３が接続されたものである。回路モジュール２の紙幣識別モジュール２１には伝動モジュール２３が接続され、伝動モジュール２３内には伝動装置１５の紙幣移動装置１５２と接続された紙幣伝動制御モジュール２３１および伝動装置１５の紙幣押圧装置１５３と接続された紙幣押圧制御モジュール２３２が設けられる。紙幣識別モジュール２１および証明証識別モジュール２２には販売機３とデータの相互伝送を行なう通信インターフェイスモジュール２４が接続される。通信インターフェイスモジュール２４には、電源を受電し、証明証および紙幣の識別結果に基づいて電源供給のオンオフを行なう節電機能を有する電源モジュール２５が接続される。
【００２２】
節電機能を有する電源モジュール２５内には、電源を受電する第１の電圧変換ユニット２５１および第２の電圧変換ユニット２５２が設けられる。第２の電圧変換ユニット２５２には電源を受電する制御スイッチ２５３が接続され、制御スイッチ２５３は電圧測定保護ユニット２５４が接続され第１の電圧変換ユニット２５１に接続する。これは電圧変換ユニット２５１が出力する電源の測定およびオンオフを行なう電圧測定保護ユニット２５４が接続されることになる。第１の電圧変換ユニット２５１には一つ以上の電源を変換して本体１および販売機３に提供して運転を行なう高低圧変換ユニット２５５が接続される。回路モジュール２の通信インターフェイスモジュール２４は、データを紙幣識別モジュール２１内の第１の識別モジュール２１１と接続されたソフトウェア更新モジュール２６に伝送する。回路モジュール２内には紙幣識別モジュール２１内の第１の識別モジュール２１１と接続された使用者インターフェイスモジュール２７が設けられる。使用者インターフェイスモジュール２７内には作業状態を販売機３に伝送して表示する指示モジュール２７１および販売機３に設けられたボタンの押圧信号を受信するボタンスイッチモジュール２７２が設けられる。
【００２３】
図２は、本考案の好適な実施例を示す側面断面図である。図３は、本考案の好適な実施例を示すブロック図である。図４は、本考案の節電機能を有する電源モジュールを示すブロック図である。図５は、本考案の実施例の起動時のステップを示すフローチャート図である。図６は、本考案の実施例の証明証識別時のステップを示すフローチャート図である。図７は、本考案の実施例の紙幣識別時のステップを示すフローチャート図である。図から分かるように、本考案の証明証を識別できる紙幣処理装置の電源起動装置の起動時の工程順をステップ１００〜１１６で下記に示す。
【００２４】
（１００）：電源を起動する。
（１０１）：システムの初期化を行なう。
（１０２）：自動校正検査を行なう。検査結果がエラーの場合はステップ（１０３）に進み、検査結果が正常の場合、ステップ（１０５）を行なう。
（１０３）：校正時のエラーメッセージを表示し、ステップ（１０４）を行なう。
（１０４）：紙幣処理装置および販売機３を休眠状態にする。
（１０５）：待機する。所定時間内に紙幣または証明証が挿入されない場合、ステップ（１０４）を行ない、販売機３が要求するか、紙幣または証明書が挿入された場合、ステップ（１０６）を行なう。
（１０６）：紙幣処理装置を起動する。証明証が挿入された場合、ステップ（１０７）を行ない、紙幣が挿入された場合、ステップ（１１２）を行なう。
（１０７）：証明証を識別して有効であるかどうかを判断し、無効である場合はステップ（１０８）を行ない、有効である場合はステップ（１０９）を行なう。
（１０８）：無効であることを表示し、ステップ（１０５）を行なう。
（１０９）：販売機３に通知し、証明証を返却してステップ（１１１）を行なう。
（１１０）：販売機３が要求するか、所定時間を越えた時、取消通知を送信する。
（１１１）：紙幣の挿入または取消を判断する。紙幣が挿入された場合、ステップ（１１２）を行ない、取消された場合、ステップ（１０５）を行なう。
（１１２）：有効な紙幣かどうかを判断し、その額面を識別する。紙幣が有効である場合、ステップ（１１３）を行ない、紙幣が無効である場合、ステップ（１０５）を行なう。
（１１３）：識別プログラム処理を行なう。
（１１４）：販売機３を起動する。
（１１５）：販売機３に識別結果を通知する。
（１１６）：作業が完了したというメッセージを表示し、ステップ（１０５）を再び行なう。
【００２５】
紙幣処理装置および販売機３が起動した後、紙幣または証明書が所定の時間内に本体１の挿入溝１１に挿入されないとき、紙幣処理装置および販売機３は休眠状態となり、紙幣または証明書が本体１の挿入溝１１から通路１２に挿入されたとき、紙幣または証明証は通路１２前方の起動状態であるセンサスイッチ１３を通過し、センサスイッチ１３が紙幣処理装置を起動させ、遮光シャッタ１４が開けられ、伝動装置１５を起動することによって紙幣または証明証を内部に移動させる。回路モジュール２の紙幣識別モジュール２１または証明書識別モジュール２２が紙幣または証明証の真偽、額面および生年月日の識別を行ない、紙幣および証明証が本物であると確認された後、販売機３を起動して商品の販売を行なう。
【００２６】
紙幣識別モジュール２１および証明証識別モジュール２２は、紙幣識別光源モジュール２１２および撮影光源モジュール２２２を利用して、紙幣または証明証に光源を照射し、光源受光モジュール２１３およびカメラモジュール２２３によって光源を受光し、キャプチャリングしたデータを第１の識別モジュール２１１および第２の識別モジュール２２１にそれぞれ伝送して識別を行なう。第１の識別モジュール２１１および第２の識別モジュール２２１は識別結果を通信インターフェイスモジュール２４を通じて節電機能を有する電源モジュール２５に伝送し、節電機能を有する電源モジュール２５は販売機３の電源を起動して商品の販売を行なう。
【００２７】
紙幣処理装置および販売機３が休眠状態になった後、紙幣および証明証が本体１の挿入溝１１に挿入されることによって紙幣処理装置の電源が起動され、紙幣および証明証が本物であると識別された後、販売機の電源が起動される。従って、長時間使用されないとき、電源の供給が停止されるので、使用コストを節約できる。また、使用者が一般のカード、偽札または偽証明証を挿入しても、販売機３は起動されない。即ち、二段階式の電源起動によって効果的に節電でき、更に、いたずらされてカード等が挿入され、販売機３が長時間起動状態となり、電気が浪費されるのを防止できるので、使用コストを低減し、省エネを達成できる。
【００２８】
使用者インターフェイスモジュール２７は指示モジュール２７１を利用して作業状態を販売機３に伝送でき、販売機３は設置されたモニタにメッセージを表示して使用者に知らせることができる。販売機３には使用者が押圧操作を行なう複数の入力キー、ボタン、タッチパネルまたはその他のスイッチが設けられ、使用者からの操作信号はボタンスイッチモジュール２７２に伝送され、続いて、対応する装置に伝送されて処理が行なわれる。
【００２９】
図３は、本考案の好適な実施例を示すブロック図である。図４は、本考案の節電機能を有する電源モジュールを示すブロック図である。図から分かるように、節電機能を有する電源モジュール２５は異なる電圧の複数の電源を受電することができ、大きな電圧は第１の電圧変換ユニット２５１および第２の電圧変換ユニット２５２に伝送され、小さな電圧は第２の電圧変換ユニット２５２および制御スイッチ２５３に伝送される。第２の電源変換ユニット２５２によって変換された電源は制御スイッチ２５３に伝送される。制御スイッチ２５３と接続された電圧測定保護ユニット２５４は第１の電圧変換ユニット２５１後方の回路に接続される。第１の電圧変換ユニット２５１によって変換された電源は高低圧変換ユニット２５５によって適当な電圧に変換されるか、直接、本体１、モータ１５１、紙幣識別光源モジュール２１２、販売機３またはその他の装置に伝送され、運転が行なわれる。
【００３０】
電圧測定保護ユニット２５４は、第１の電圧変換ユニット２５１が伝送した電源を測定でき、電圧が過大または過小であることを検知したとき、電源の提供を停止し、サージが発生して紙幣処理装置および販売機３内部の電子素子が破損するのを防止し、それによって、紙幣処理装置および販売機３の使用寿命を延長することができる。
【００３１】
上述の節電機能を有する電源モジュール２５は１２ボルト、２４ボルトまたはその他のボルトの電圧を受電することができ、高低圧変換ユニット２５５は１２ボルトを３．３ボルトに、１２ボルトを５ボルトに、またはその他の電圧変換を行う部材であり、受電した電圧を各装置が必要とする電圧に変換し、その電源を各装置に伝送して運転を行わせればよい。これらは本考案の範囲を制限するものではなく、その他の修飾および変更を行なうことができ、それらは全て本考案の実用新案登録請求の範囲に含まれる。
【００３２】
図１は、本考案の好適な実施例を示す斜視図である。図２は、本考案の好適な実施例を示す側面断面図である。図３は、本考案の好適な実施例を示すブロック図である。図４は、本考案の節電機能を有する電源モジュールを示すブロック図である。証明証識別モジュール２２のカメラモジュール２２３は、電荷結合素子（ＣＣＤ）、相補性金属酸化膜半導体（ＣＭＯＳ）、密着イメージセンサ（ＣＩＳ）またはその他の形式のデジタルカメラであり、証明証の画像データおよび文字を取得し、証明証上の透かし、エンボス加工、隠蔽バーコードまたはレーザラベルなどの偽造防止特徴の読取り機能または識別機能を有すればよい。これらは本考案の範囲を制限するものではなく、その他の修飾および同等効果の構造の変更は全て本考案の実用新案登録請求の範囲に含まれる。
【００３３】
図２は、本考案の好適な実施例を示す側面断面図である。伝動装置１５の紙幣移動装置１５２はローラ、ベルト、三角ローラ、ボールまたはその他の紙幣を移動させることができる構造とすることができ、伝導装置１５の紙幣押圧装置１５３はクロスリンク、電磁バルブ、押圧板またはその他の紙幣を紙幣スタッカ１６内に押圧して位置移動させる部材とすることができる。しかし、紙幣移動装置１５２および紙幣押圧装置１５３は従来技術であり、詳細な構成は本考案の重点ではないので説明は行わない。
【００３４】
本考案の証明証を識別できる紙幣処理装置の電源起動装置を実際に使用するとき、下記の長所を有する。
【００３５】
（１）本考案の販売機３は、起動後、所定の時間内に使用されない場合、休眠状態となり、本体１の挿入溝１１から証明証または紙幣が通路１２に挿入されたとき、回路モジュール２の紙幣識別モジュール２１および証明証識別モジュール２２が証明証または紙幣の識別を行ない、挿入された証明証または紙幣が本物であると識別されたとき、信号を節電機能を有する電源モジュール２５に伝送して販売機３を起動し、使用者が偽札、偽証明証またはその他のカードを挿入したときも、販売機３は休眠状態を保持するので、使用コストを低減し、資源の浪費を低減できる。
【００３６】
（２）本考案の紙幣処理装置は、起動後、所定の時間内に使用されない場合、休眠状態となり、本体１通路１２前側のセンサスイッチ１３のみが運転され、使用者が証明証または紙幣を挿入したとき、センサスイッチ１３が紙幣処理装置をトリガして起動し、証明証または紙幣が内部に移動されて識別が行われ、紙幣処理装置が長時間使用されない場合、休眠状態となって電気の浪費を防止し、紙幣処理装置および販売機３の二段階式の休眠および起動によって効果的に節電を行なうことができる。
【００３７】
以上の説明は、本考案の好適な実施例を示すものであり、本考案の実用新案登録請求の範囲を制限するものではなく、本考案の明細書および図面の内容に基づいた簡易な修飾または同等効果の変更は全て本考案の実用新案登録請求の範囲に含まれる。
【００３８】
上述のように、本考案の証明証を識別できる紙幣処理装置の電源起動装置は、確実にその効果および目的を達成でき、本考案は高い実用性を有する考案である。
【図面の簡単な説明】
【００３９】
【図１】本考案の好適な実施例を示す斜視図である。
【図２】本考案の好適な実施例を示す側面断面図である。
【図３】本考案の好適な実施例を示すブロック図である。
【図４】本考案の節電機能を有する電源モジュールを示すブロック図である。
【図５】本考案の実施例の起動時のステップを示すフローチャート図である。
【図６】本考案の実施例の証明証識別時のステップを示すフローチャート図である。
【図７】本考案の実施例の紙幣識別時のステップを示すフローチャート図である。
【符号の説明】
【００４０】
１  本体
１１  挿入溝
１２  通路
１３  センサスイッチ
１４  遮光シャッタ
１５  伝動装置
１５１  モータ
１５２  紙幣移動装置
１５３  紙幣押圧装置
１６  紙幣スタッカ
１６１  押圧板
１６２  弾性部材
２  回路モジュール
２１  紙幣識別モジュール
２１１  第１の識別モジュール
２１２  紙幣識別光源モジュール
２１３  光源受光モジュール
２２  証明証識別モジュール
２２１  第２の識別モジュール
２２２  撮影光源モジュール
２２３  カメラモジュール
２３  伝動モジュール
２３１  紙幣伝動制御モジュール
２３２  紙幣押圧制御モジュール
２４  通信インターフェイスモジュール
２５  節電機能を有する電源モジュール
２５１  第１の電圧変換ユニット
２５２  第２の電圧変換ユニット
２５３  制御スイッチ
２５４  電圧測定保護ユニット
２５５  高低圧変換ユニット
２６  ソフトウェア更新モジュール
２７  使用者インターフェイスモジュール
２７１  指示モジュール
２７２  ボタンスイッチモジュール
３  販売機
【図１】
0003146904.tif 000003
【図２】
0003146904.tif 000004
【図３】
0003146904.tif 000005
【図４】
0003146904.tif 000006
【図５】
0003146904.tif 000007
【図６】
0003146904.tif 000008
【図７】
0003146904.tif 000009